(57)【要約】【課題】  ファイルサイズの小さいデータファイルを処理することにより、音声を出力するだけでなく画像を表示し、しかも、該画像を、出力される音声に同調して表示することを実現する。【解決手段】  １つ又は複数のデジタル音声要素データＳj（j＝1〜m、m≧1）と、該Ｓjから重複を許してｋ個（ｋ≧1）選択して順に並べる配列情報とからなる配列情報付きデジタル音声データと、インターネット上に存在する１つ又は複数のデータファイルi（i＝1〜n、n≧1）とその存在場所を指定するＵＲＬiと、該ＵＲＬiから重複を許してｋ個選択して順に並べる配列情報とからなる配列情報付きＵＲＬデータとによってデータファイルを構成する。【選択図】図１
2006344208.tif 000002
【特許請求の範囲】
【請求項１】
１つ又は複数のデジタル音声要素データＳj（j＝1〜m、m≧1）と、該Ｓjから重複を許してｋ個（ｋ≧1）選択して順に並べる配列情報とからなる配列情報付きデジタル音声データと、
インターネット上に存在する１つ又は複数のデータファイルi（i＝1〜n、n≧1）とその存在場所を指定するＵＲＬi（i＝1〜n、n≧1）と、該ＵＲＬiから重複を許してｋ個（ｋ≧1）選択して順に並べる配列情報とからなる配列情報付きＵＲＬデータと、
を含むことを特徴とする付帯情報付き音声データファイル。
【請求項２】
前記配列情報付きデジタル音声データを構成するデジタル音声要素データのうちの少なくとも１つのＳjは、楽曲を再生可能に記録したデータであり、
前記配列情報付きＵＲＬデータが含む少なくとも１つのＵＲＬiが指定するデータファイルiは、ブラウザ手段が処理することにより、前記楽曲の書誌的情報及び／又は歌詞及び／又は楽譜を表示することができるデータファイルであることを特徴とする、請求項１に記載の付帯情報付き音声データファイル。
【請求項３】
前記配列情報付きデジタル音声データを構成するデジタル音声要素データのうちの少なくとも１つのＳjは、論文、小説、脚本、詩歌、俳句、講演、語学教材等の言語著作物の口述を再生可能に記録したデータであり、
前記配列情報付きＵＲＬデータが含む少なくとも１つのＵＲＬiが指定するデータファイルiは、ブラウザ手段が処理することにより、前記言語著作物の文字表現を表示することができるデータファイルであることを特徴とする、請求項１に記載の付帯情報付き音声データファイル。
【請求項４】
前記配列情報付きデジタル音声データを構成するデジタル音声要素データのうちの少なくとも１つのＳjは、絵画、版画、彫刻等の美術著作物や、建造物、風景に関する音声説明を再生可能に記録したデータであり、
前記配列情報付きＵＲＬデータが含む少なくとも１つのＵＲＬiが指定するデータファイルiは、ブラウザ手段が処理することにより、前記美術著作物や、建造物、風景の画像を表示することができるデータファイルであることを特徴とする、請求項１に記載の付帯情報付き音声データファイル。
【請求項５】
前記配列情報付きデジタル音声データを構成するデジタル音声要素データのうちの少なくとも１つのＳjは、漫画、紙芝居、絵本等の言語表現を伴う美術著作物における該言語表現の口述を再生可能に記録したデータであり、
前記配列情報付きＵＲＬデータが含む少なくとも１つのＵＲＬiが指定するデータファイルiは、ブラウザ手段が処理することにより、前記美術著作物の画像又は前記美術著作物から言語表現部分を除いたものの画像を表示することができるデータファイルであることを特徴とする、請求項１に記載の付帯情報付き音声データファイル。
【請求項６】
前記配列情報付きデジタル音声データを構成するデジタル音声要素データのうちの少なくとも１つのＳjは、建造物、風景、風物等の現存する地域から移動不可能な対象物に関する音声説明を再生可能に記録したデータであり、
前記配列情報付きＵＲＬデータが含む少なくとも１つのＵＲＬiが指定するデータファイルiは、ブラウザ手段が処理することにより、前記移動不可能な対象物が現存する地域の地図の画像や当該地域に接続する道路や鉄道の路線図の画像を表示することができるデータファイルであることを特徴とする、請求項１に記載の付帯情報付き音声データファイル。
【請求項７】
前記配列情報付きデジタル音声データを構成するデジタル音声要素データのうちの少なくとも１つのＳjは、料理自体又は料理の調理方法に関する音声説明を再生可能に記録したデータであり、
前記配列情報付きＵＲＬデータが含む少なくとも１つのＵＲＬiが指定するデータファイルiは、ブラウザ手段が処理することにより、前記料理の実施例の写真やイラストの画像及び／又はレシピを記述する文字を表示することができるデータファイルであることを特徴とする、請求項１に記載の付帯情報付き音声データファイル。
【請求項８】
前記配列情報付きデジタル音声データを構成するデジタル音声要素データのうちの少なくとも１つのＳjは、ディスクジョッキーやアナウンサー等の出演者の会話又はモノローグを再生可能に記録したデータであり、
前記配列情報付きＵＲＬデータが含む少なくとも１つのＵＲＬiが指定するデータファイルiは、ブラウザ手段が処理することにより、前記出演者の写真又はイラストの画像を表示することができるデータファイルであることを特徴とする、請求項１に記載の付帯情報付き音声データファイル。
【請求項９】
前記配列情報付きデジタル音声データを構成するデジタル音声要素データのうちの少なくとも１つのＳjは、囲碁 、将棋 、チェス、オセロ、ハーツ等の盤上対局の実況説明及び／又は実況解説を再生可能に記録したデータであり、
前記配列情報付きＵＲＬデータが含む少なくとも１つのＵＲＬiが指定するデータファイルiは、ブラウザ手段が処理することにより、該盤上対局における盤上の石や駒等の配置状況を示す画像を表示することができるデータファイルであることを特徴とする、請求項１に記載の付帯情報付き音声データファイル。
【請求項１０】
前記配列情報付きデジタル音声データを構成するデジタル音声要素データのうちの少なくとも１つのＳjは、商品、サービス、又はそれらの提供主体に関する音声メッセージ（以下、コマーシャルメッセージと略記する）を再生可能に記録したデータであり、
前記配列情報付きＵＲＬデータが含む少なくとも１つのＵＲＬiが指定するデータファイルiは、ブラウザ手段が処理することにより、前記コマーシャルメッセージに関連する文字及び／又は画像を表示することができるデータファイルであることを特徴とする、請求項１に記載の付帯情報付き音声データファイル。
【請求項１１】
前記配列情報付きＵＲＬデータが含む少なくとも１つのＵＲＬiが指定するデータファイルiは、ＨＴＭＬ、ＸＭＬ又はそれらをベースとするマークアップ言語で記述されたデータファイル（以下、マークアップ言語ファイルと略記する）であり、該マークアップ言語ファイルは、インターネットに接続したウェブサーバに対するデータエントリー機能を有することを特徴とする、請求項１に記載の付帯情報付き音声データファイル。
【請求項１２】
前記配列情報付きＵＲＬデータを複数含むことを特徴とする、請求項１乃至１１に記載の付帯情報付き音声データファイル。
【請求項１３】
前記配列情報付きデジタル音声データを構成するデジタル音声要素データのうちの少なくとも１つのＳjには、
該Ｓjを再生した際の再生開始時点からの１つ又は複数の時間間隔Ｔjh（h＝1〜p、p≧1）を特定する時間情報からなるタイミングデータと、
Ｔjhに対応付けられたＵＲＬjh（h＝1〜p、p≧1。ただし、ＵＲＬjhの中に同一のＵＲＬがあってもよい）からなるＵＲＬデータと、
からなるタイミング−ＵＲＬデータのセットＴjh−ＵＲＬjhが対応付けられていることを特徴とする、請求項１乃至１２に記載の付帯情報付き音声データファイル。
【請求項１４】
前記配列情報付きデジタル音声データを構成するデジタル音声要素データのうちの少なくとも１つのＳjには、前記タイミングデータと前記ＵＲＬデータの複数のセットＴjhg−ＵＲＬjhg（h＝1〜p、p≧1。g＝1〜q、q≧2。ただし、ＵＲＬjhgの中に同一のＵＲＬがあってもよい）が対応付けられていることを特徴とする、請求項１３に記載の付帯情報付き音声データファイル。
【請求項１５】
１つ又は複数のデジタル音声要素データファイルと、
該１つ又は複数のデジタル音声要素データファイルのファイル名と、１つ又は複数のＵＲＬとを、重複を許して一定の書式で記載したテキストデータファイルと、
を格納するデータファイル格納手段と、
該データファイル格納手段から前記デジタル音声要素データと前記テキストデータファイルを読み出して処理することにより、請求項１乃至１４に記載の付帯情報付き音声データファイルを作成し、前記ファイル格納手段又は別のデータファイル格納手段に格納するデータファイル作成手段と、
を備えたことを特徴とする付帯情報付き音声データファイル作成装置。
【請求項１６】
前記データファイル格納手段は、
前記１つ又は複数のデジタル音声要素データファイルのファイル名及び１つ又は複数のＵＲＬに加えて、
前記デジタル音声要素データファイルのうちの少なくとも１つのＳＦjに対応付けられたタイミング−ＵＲＬデータの１つ又は複数のセットＴjhg−ＵＲＬjhg（h＝1〜p、p≧1。g＝1〜q、q≧1。ただし、ＵＲＬjhgの中に同一のＵＲＬがあってもよい）が含む、再生開始時点から時間間隔Ｔjhgを指定する数値と、
前記タイミング−ＵＲＬデータの１つ又は複数のセットＴjhg−ＵＲＬjhgが含むＵＲＬと、
を一定の書式で記載したテキスト・数値データファイルを格納する機能を有し、
前記データファイル作成手段は、該データファイル格納手段から前記デジタル音声要素データと前記テキスト・数値データファイルを読み出して処理することにより、請求項１３乃至１４に記載の付帯情報付き音声データファイルを作成し、前記ファイル格納手段又は別のデータファイル格納手段に格納する機能を有することを特徴とする、請求項１５に記載の付帯情報付き音声データファイル作成装置。
【請求項１７】
請求項１乃至１４に記載の付帯情報付き音声データファイルと、該付帯情報付き音声データファイルを処理するためのプログラムとを格納する記憶手段と、
前記記憶手段に格納されたプログラムに基づき、前記記憶手段に格納された付帯情報付き音声データファイル及び後記通信手段から受信したデータファイルを処理してデジタル信号を生成し、該デジタル信号を、後記通信手段、後記音声出力手段、後記ディスプレイ手段に送信するデータ処理手段と、
前記データ処理手段から受信したデジタル信号に基づき、インターネットに接続されたウェブサーバに対して、該ウェブサーバに格納されたデータファイルを送信するよう要求する送信要求を送信し、該ウェブサーバから該データファイルを受信する通信手段と、
前記データ処理手段から受信したデジタル信号に基づき、音声を出力する音声出力手段と、
前記データ処理手段から受信したデジタル信号に基づき、文字及び／又は画像を表示するスプレイ手段と、
を有する音声・画像出力装置であって、
前記データ処理手段は、
前記付帯情報付き音声データファイルが含む配列情報付きＵＲＬデータに基づき、該配列情報付きＵＲＬデータが含むＵＲＬi（i＝1〜n、n≧1）が指定するデータファイルiに対する送信要求を送信するためのデジタル命令信号を、該配列情報付きＵＲＬデータが含む配列情報に対応した順序で前記通信手段に送信する機能と、
前記通信手段が受信したデータファイルに基づき、文字及び／又は画像を表示するためのデジタル表示信号を前記ディスプレイ手段に送信する機能と、
前記付帯情報付き音声データファイルが含む配列情報付きデジタル音声データに基づき、該配列情報付きデジタル音声データを構成するデジタル音声要素データＳj（j＝1〜m、m≧1）に対応するデジタル音声信号を、該配列情報付きデジタル音声データが含む配列情報に対応した順序で生成して前記音声出力手段に送信する機能と、
を有することを特徴とする音声・画像出力装置。
【請求項１８】
前記記憶手段は、請求項１２に記載の付帯情報付き音声データファイルを格納する機能を有した上で、
該付帯情報付き音声データファイルが含む複数の配列情報付きＵＲＬデータのうちから１つを選択する選択手段Ａを備え、
前記データ処理手段は、前記選択手段Ａで選択された配列情報付きＵＲＬデータに基づき、前記通信手段にデジタル命令信号を送信する機能を有することを特徴とする、請求項１７に記載の音声・画像出力装置。
【請求項１９】
前記記憶手段は、請求項１３又は１４に記載の付帯情報付き音声データファイルを格納する機能を有した上で、
前記データ処理手段は、
前記付帯情報付き音声データファイルが含む前記配列情報付きデジタル音声データを構成するデジタル音声要素データＳjに対応するデジタル音声信号を前記音声出力手段に送信する機能と、
前記Ｓjに対応付けられた、１つ又は複数のタイミング−ＵＲＬデータのセットＴjhg−ＵＲＬjhg（h＝1〜p、p≧1。g＝1〜q、１≧2）に基づき、該Ｔjhg−ＵＲＬjhgが含むＵＲＬjhgが指定するデータファイルiに対する送信要求を送信するためのデジタル命令信号を、前記Ｓjに対応するデジタル音声信号を前記音声出力手段に送信した後、Ｔjhgだけ時間が経過したタイミングで、又はＴjhgに一定の時間を加算した時間が経過したタイミングで、前記通信手段に送信する機能を有することを特徴とする、請求項１７又は１８に記載の音声・画像出力装置。
【請求項２０】
前記記憶手段は、請求項１４に記載の付帯情報付き音声データファイルを格納する機能を有した上で、
該付帯情報付き音声データファイルが含む複数のタイミング−ＵＲＬデータのセットのうちから１つを選択する選択手段Ｂを備え、
前記データ処理手段は、前記選択手段Ｂで選択されたタイミング−ＵＲＬデータに基づき、前記通信手段にデジタル命令信号を送信する機能を有することを特徴とする、請求項１９に記載の音声・画像出力装置。
【請求項２１】
前記データ処理手段が、配列情報付きＵＲＬデータ、又は、配列情報付きＵＲＬデータ及びタイミング−ＵＲＬデータが含むＵＲＬが指定するデータファイルに対する送信要求を送信するためのデジタル命令信号を前記通信手段に送信する機能をオンにするか、オフにするかを選択するオン・オフ選択手段を備えることを特徴する、請求項１７乃至２０に記載の音声・画像出力装置。
【請求項２２】
請求項１７乃至２１の音声・画像出力装置における記憶手段に格納される音声・画像出力用プログラムであって、
前記データ処理手段に、
前記付帯情報付き音声データファイルが含む配列情報付きＵＲＬデータに基づき、該配列情報付きＵＲＬデータが含むＵＲＬi（i＝1〜n、n≧1）が指定するデータファイルiに対する送信要求を送信するためのデジタル命令信号を、該配列情報付きＵＲＬデータが含む配列情報に対応した順序で前記通信手段に送信する処理と、
前記通信手段が受信したデータファイルに基づき、文字及び／又は画像を表示するためのデジタル表示信号を前記ディスプレイ手段に送信する処理と、
前記付帯情報付き音声データファイルが含む配列情報付きデジタル音声データに基づき、該配列情報付きデジタル音声データを構成するデジタル音声要素データＳj（j＝1〜m、m≧1）に対応するデジタル音声信号を、該配列情報付きデジタル音声データが含む配列情報に対応した順序で生成して前記音声出力手段に送信する処理と、
を実行させることを特徴とする音声・画像出力用プログラム。
【請求項２３】
請求項１９乃至２０の音声・画像出力装置における記憶手段に格納される音声・画像出力用プログラムであって、
前記データ処理手段に、
前記付帯情報付き音声データファイルが含む前記配列情報付きデジタル音声データを構成するデジタル音声要素データＳjに対応するデジタル音声信号を前記音声出力手段に送信する処理と、
前記Ｓjに対応付けられた、１つ又は複数のタイミング−ＵＲＬデータのセットＴjhg−ＵＲＬjhg（h＝1〜p、p≧1。g＝1〜q、１≧2）に基づき、該Ｔjhg−ＵＲＬjhgが含むＵＲＬjhgが指定するデータファイルiに対する送信要求を送信するためのデジタル命令信号を、前記Ｓjに対応するデジタル音声信号を前記音声出力手段に送信した後、Ｔjhgだけ時間が経過したタイミングで、又はＴjhgに一定の時間を加算した時間が経過したタイミングで、前記通信手段に送信する処理と、
を実行させることを特徴とする、請求項２２に記載の音声・画像出力用プログラム。
【請求項２４】
ＵＲＬ情報を含む文字データ信号が音声放送信号に重畳して送信される文字多重放送を受信し、デジタル信号に変換の上、前記データ処理手段に送信するチューナ手段を備えるととともに、
前記データ処理手段は、前記チューナ手段から受信したデジタル信号を処理することにより、
該デジタル信号が含む音声情報に基づき、デジタル音声信号を前記音声出力手段に送信する機能と、
該デジタル信号が含むＵＲＬ情報に基づき、該ＵＲＬ情報に対応したＵＲＬが指定するデータファイルを受信するためのデジタル命令信号を前記通信手段に送信する機能と、
を有することを特徴とする、請求項１７乃至２１に記載の音声・画像出力装置。
【請求項２５】
前記データ処理手段は、前記チューナ手段から受信したデジタル信号を処理することにより、請求項１乃至１４に記載の付帯情報付き音声データファイルを作成し、前記記憶手段に格納する機能を有することを特徴とする、請求項２４に記載の音声・画像出力装置。
【請求項２６】
インターネットに接続されたウェブサーバであって、
請求項１乃至１４に記載の付帯情報付き音声ファイルを格納するとともに、
インターネットに接続された端末からの送信要求に応じて、前記付帯情報付き音声ファイルを配信することを特徴とするデータファイル配信用サーバ。
【請求項２７】
インターネットに接続されたウェブサーバであって、
請求項１乃至１４に記載の付帯情報付き音声ファイルが含む配列情報付きＵＲＬデータが含むＵＲＬiが指定するデータファイルi（i＝1〜n、n≧1）、又は、配列情報付きＵＲＬデータが含むＵＲＬi及びタイミング−ＵＲＬデータが含むＵＲＬjhgが指定するデータファイルjhg（h＝1〜p、p≧1。g＝1〜q、q≧1）のうちの少なくとも１つを格納し、
請求項１７乃至２１に記載の音声・画像出力装置の前記通信手段から送信される送信要求に応じて、データファイルi又はデータファイルjhgのうちの少なくとも１つを前記通信手段に送信することを特徴とする、請求項２６に記載のデータファイル配信用サーバ。
【発明の詳細な説明】
【技術分野】
【０００１】
本発明は、音声を出力するとともに該音声に同調して画像を表示する音声・画像出力装置、該音声・画像出力装置において処理される付帯情報付き音声データファイル、該付帯情報付き音声データファイルを作成する作成装置、及び前記音声・画像出力装置を駆動させるプログラムに関し、特に、インターネットに接続されたウェブサーバから配信される付帯情報付き音声データファイル、該付帯情報付き音声データファイルを作成する作成装置、及び前記音声・画像出力装置を駆動させるプログラムに関わる。また、前記付帯情報付き音声データファイル、及び該付帯情報付き音声データファイルに関連付けられたデータファイルを配信するデータファイル配信用サーバに関わる。
【背景技術】
【０００２】
インターネットに接続されたウェブサイトからＭＰ３（ＭＰＥＧ Audio Layer ３）等のフォーマットで保存された音声データファイル（以下、音声ファイルと略記する）をダウンロードし、デジタル携帯音楽プレーヤーやＰＨＳ（Personal Handyphone System）を含む携帯電話機（以下、「デジタル携帯音楽プレーヤーやＰＨＳを含む携帯電話機」を「携帯出力装置」と略記する）に保存して、好きな場所・時間に再生して楽しむことが広く行われている。
さらに、パーソナルコンピュータにおけるＲＳＳ（Rich Site Summary）アグリゲータが、あらかじめＵＲＬ（Uniform Resource Locator）が登録されたウェブサーバからＲＳＳファイルを受信し、該ＲＳＳファイルに含まれるＵＲＬが指定する音声ファイルのうち、未受信の音声ファイルを受信する「ポッドキャスティング」の技術が実用化されている。この技術を用いることにより、従来の音楽コンテンツだけでなく、音声ニュース番組等の定期的に更新されるべき音声コンテンツについても、ユーザーがダウンロード操作を行うことなく自動的にデータファイルを蓄積することができるようになり、その結果として、非音楽の音声コンテンツについても蓄積型のコンテンツ配信が拡大してきている。
【０００３】
ところが、音声コンテンツには、テレビ番組に代表される音声付き動画コンテンツと比較すると、伝達できる情報量が圧倒的に少ない。例えば、音声ニュース番組では、情報源はアナウンサーによる音声での説明だけなのに対して、テレビニュース番組では、音声に加えて画像での情報が付加されるため、聴取者（視聴者）の理解には大きな差が生じる。
このため、ＭＰ３形式等で保存された音声ファイルを配信するポッドキャスティングに代わり、ＲＳＳの仕組みを利用して音声付き動画データファイル（以下、「音声付き動画データファイル」を「動画ファイル」と略記する）を自動配信する「ビデオキャスティング（又はビデオ・ポッドキャスティング）」という技術が用いられるようになっている。
【０００４】
しかしながら、一般に、動画ファイルは同じ時間長さの音声ファイルと比較して著しくファイルサイズが大きく、例えば、数インチ程度の画面に表示される動画であっても、ファイルサイズは音声ファイルの数〜十数倍となる。このため、音声ファイルだけを配信・蓄積するのであれば、携帯出力装置に多くのデータファイルを蓄積でき、また、データファイルをダウンロードするために回線を占有する時間も短くて済むのに対して、動画ファイルを配信・蓄積する場合には、携帯出力装置に蓄積できるデータファイルの量も限られ、また、データファイルをダウンロードするために回線を占有する時間も長くなるという問題があった。
【０００５】
【非特許文献１】kj、manolin著『ポッドキャスティング入門』（翔泳社、2006年）
【発明の開示】
【発明が解決しようとする課題】
【０００６】
本発明はこのような事情に鑑みてなされたものであり、その目的とするところは、ファイルサイズの小さいデータファイルを処理することにより、音声を出力するだけでなく画像を表示し、しかも、該画像を、出力される音声に同調して表示することを実現するために必要なデータファイル、及びそれを使用するための各種の手段を提供することにある。
【課題を解決するための手段】
【０００７】
上記目的を達成するために、請求項１に記載の付帯情報付き音声データファイルに係る発明は、１つ又は複数のデジタル音声要素データＳj（j＝1〜m、m≧1）と、該Ｓjから重複を許してｋ個（ｋ≧1）選択して順に並べる配列情報とからなる配列情報付きデジタル音声データと、インターネット上に存在する１つ又は複数のデータファイルi（i＝1〜n、n≧1）とその存在場所を指定するＵＲＬi（i＝1〜n、n≧1）と、該ＵＲＬiから重複を許してｋ個（ｋ≧1）選択して順に並べる配列情報とからなる配列情報付きＵＲＬデータとを含むことを特徴とする。
【０００８】
また、請求項２に記載の付帯情報付き音声データファイルに係る発明は、請求項１に記載の付帯情報付き音声データファイルにおいて、前記配列情報付きデジタル音声データを構成するデジタル音声要素データのうちの少なくとも１つのＳjは、楽曲を再生可能に記録したデータであり、前記配列情報付きＵＲＬデータが含む少なくとも１つのＵＲＬiが指定するデータファイルiは、ブラウザ手段が処理することにより、前記楽曲の書誌的情報及び／又は歌詞及び／又は楽譜を表示することができるデータファイルであることを特徴とする。
【０００９】
また、請求項３に記載の付帯情報付き音声データファイルに係る発明は、請求項１に記載の付帯情報付き音声データファイルにおいて、前記配列情報付きデジタル音声データを構成するデジタル音声要素データのうちの少なくとも１つのＳjは、論文、小説、脚本、詩歌、俳句、講演、語学教材等の言語著作物の口述を再生可能に記録したデータであり、前記配列情報付きＵＲＬデータが含む少なくとも１つのＵＲＬiが指定するデータファイルiは、ブラウザ手段が処理することにより、前記言語著作物の文字表現を表示することができるデータファイルであることを特徴とする。
【００１０】
また、請求項４に記載の付帯情報付き音声データファイルに係る発明は、請求項１に記載の付帯情報付き音声データファイルにおいて、前記配列情報付きデジタル音声データを構成するデジタル音声要素データのうちの少なくとも１つのＳjは、絵画、版画、彫刻等の美術著作物や、建造物、風景に関する音声説明を再生可能に記録したデータであり、前記配列情報付きＵＲＬデータが含む少なくとも１つのＵＲＬiが指定するデータファイルiは、ブラウザ手段が処理することにより、前記美術著作物や、建造物、風景の画像を表示することができるデータファイルであることを特徴とする。
【００１１】
また、請求項５に記載の付帯情報付き音声データファイルに係る発明は、請求項１に記載の付帯情報付き音声データファイルにおいて、前記配列情報付きデジタル音声データを構成するデジタル音声要素データのうちの少なくとも１つのＳjは、漫画、紙芝居、絵本等の言語表現を伴う美術著作物における該言語表現の口述を再生可能に記録したデータであり、前記配列情報付きＵＲＬデータが含む少なくとも１つのＵＲＬiが指定するデータファイルiは、ブラウザ手段が処理することにより、前記美術著作物又は前記美術著作物から言語表現部分を除いたものを表示することができるデータファイルであることを特徴とする。
【００１２】
また、請求項６に記載の付帯情報付き音声データファイルに係る発明は、請求項１に記載の付帯情報付き音声データファイルにおいて、前記配列情報付きデジタル音声データを構成するデジタル音声要素データのうちの少なくとも１つのＳjは、建造物、風景、風物等の現存する地域から移動不可能な対象物に関する音声説明を再生可能に記録したデータであり、前記配列情報付きＵＲＬデータが含む少なくとも１つのＵＲＬiが指定するデータファイルiは、ブラウザ手段が処理することにより、前記移動不可能な対象物が現存する地域の地図の画像や当該地域に接続する道路や鉄道の路線図の画像を表示することができるデータファイルであることを特徴とする。
【００１３】
また、請求項７に記載の付帯情報付き音声データファイルに係る発明は、請求項１に記載の付帯情報付き音声データファイルにおいて、前記配列情報付きデジタル音声データを構成するデジタル音声要素データのうちの少なくとも１つのＳjは、料理自体又は料理の調理方法に関する音声説明を再生可能に記録したデータであり、前記配列情報付きＵＲＬデータが含む少なくとも１つのＵＲＬiが指定するデータファイルiは、ブラウザ手段が処理することにより、前記料理の実施例の写真やイラストの画像及び／又はレシピを記述する文字を表示することができるデータファイルであることを特徴とする。
【００１４】
また、請求項８に記載の付帯情報付き音声データファイルに係る発明は、請求項１に記載の付帯情報付き音声データファイルにおいて、前記配列情報付きデジタル音声データを構成するデジタル音声要素データのうちの少なくとも１つのＳjは、ディスクジョッキーやアナウンサー等の出演者の会話又はモノローグを再生可能に記録したデータであり、前記配列情報付きＵＲＬデータが含む少なくとも１つのＵＲＬiが指定するデータファイルiは、ブラウザ手段が処理することにより、前記出演者の写真又はイラストの画像を表示することができるデータファイルであることを特徴とする。
【００１５】
また、請求項９に記載の付帯情報付き音声データファイルに係る発明は、請求項１に記載の付帯情報付き音声データファイルにおいて、前記配列情報付きデジタル音声データを構成するデジタル音声要素データのうちの少なくとも１つのＳjは、囲碁 、将棋 、チェス、オセロ、ハーツ等の盤上対局の実況説明及び／又は実況解説を再生可能に記録したデータであり、前記配列情報付きＵＲＬデータが含む少なくとも１つのＵＲＬiが指定するデータファイルiは、ブラウザ手段が処理することにより、該盤上対局における盤上の石や駒等の配置状況を示す画像表示することができるデータファイルであることを特徴とする。
【００１６】
また、請求項１０に記載の付帯情報付き音声データファイルに係る発明は、請求項１に記載の付帯情報付き音声データファイルにおいて、前記配列情報付きデジタル音声データを構成するデジタル音声要素データのうちの少なくとも１つのＳjは、商品、サービス、又はそれらの提供主体に関する音声メッセージ（以下、コマーシャルメッセージと略記する）を再生可能に記録したデータであり、前記配列情報付きＵＲＬデータが含む少なくとも１つのＵＲＬiが指定するデータファイルiは、ブラウザ手段が処理することにより、前記コマーシャルメッセージに関連する文字及び／又は画像を表示することができるデータファイルであることを特徴とする。
【００１７】
また、請求項１１に記載の付帯情報付き音声データファイルに係る発明は、請求項１に記載の付帯情報付き音声データファイルにおいて、前記配列情報付きＵＲＬデータが含む少なくとも１つのＵＲＬiが指定するデータファイルiは、ＨＴＭＬ、ＸＭＬ又はそれらをベースとするマークアップ言語で記述されたデータファイル（以下、マークアップ言語ファイルと略記する）であり、該マークアップ言語ファイルは、インターネットに接続したウェブサーバに対するデータエントリー機能を有することを特徴とする。
【００１８】
また、請求項１２に記載の付帯情報付き音声データファイルに係る発明は、請求項１乃至１１に記載の付帯情報付き音声データファイルにおいて、前記配列情報付きＵＲＬデータを複数含むことを特徴とする。
【００１９】
また、請求項１３に記載の付帯情報付き音声データファイルに係る発明は、請求項１乃至１２に記載の付帯情報付き音声データファイルにおいて、前記配列情報付きデジタル音声データを構成するデジタル音声要素データのうちの少なくとも１つのＳjには、該Ｓjを再生した際の再生開始時点からの１つ又は複数の時間間隔Ｔjh（h＝1〜p、p≧1）を特定する時間情報からなるタイミングデータと、Ｔjhに対応付けられたＵＲＬjh（h＝1〜p、p≧1。ただし、ＵＲＬjhの中に同一のＵＲＬがあってもよい）からなるＵＲＬデータと、からなるタイミング−ＵＲＬデータのセットＴjh−ＵＲＬjhが対応付けられていることを特徴とする。
【００２０】
また、請求項１４に記載の付帯情報付き音声データファイルに係る発明は、請求項１３に記載の付帯情報付き音声データファイルにおいて、前記配列情報付きデジタル音声データを構成するデジタル音声要素データのうちの少なくとも１つのＳjには、前記タイミングデータと前記ＵＲＬデータの複数のセットＴjhg−ＵＲＬjhg（h＝1〜p、p≧1。g＝1〜q、q≧2。ただし、ＵＲＬjhgの中に同一のＵＲＬがあってもよい）が対応付けられていることを特徴とする。
【００２１】
また、請求項１５に記載の付帯情報付き音声データファイル作成装置に係る発明は、１つ又は複数のデジタル音声要素データファイルと、該１つ又は複数のデジタル音声要素データファイルのファイル名と、１つ又は複数のＵＲＬとを、重複を許して一定の書式で記載したテキストデータファイルと、を格納するデータファイル格納手段と、該データファイル格納手段から前記デジタル音声要素データと前記テキストデータファイルを読み出して処理することにより、請求項１乃至１４に記載の付帯情報付き音声データファイルを作成し、前記ファイル格納手段又は別のデータファイル格納手段に格納するデータファイル作成手段とを備えたことを特徴とする。
【００２２】
また、請求項１６に記載の付帯情報付き音声データファイル作成装置に係る発明は、請求項１５に記載の付帯情報付き音声データファイル作成装置において、前記データファイル格納手段は、前記１つ又は複数のデジタル音声要素データファイルのファイル名及び１つ又は複数のＵＲＬに加えて、前記デジタル音声要素データファイルのうちの少なくとも１つのＳＦjに対応付けられたタイミング−ＵＲＬデータの１つ又は複数のセットＴjhg−ＵＲＬjhg（h＝1〜p、p≧1。g＝1〜q、q≧1。ただし、ＵＲＬjhgの中に同一のＵＲＬがあってもよい）が含む、再生開始時点から時間間隔Ｔjhgを指定する数値と、前記タイミング−ＵＲＬデータの１つ又は複数のセットＴjhg−ＵＲＬjhgが含むＵＲＬと、を一定の書式で記載したテキスト・数値データファイルを格納する機能を有し、前記データファイル作成手段は、該データファイル格納手段から前記デジタル音声要素データと前記テキスト・数値データファイルを読み出して処理することにより、請求項１３乃至１４に記載の付帯情報付き音声データファイルを作成し、前記ファイル格納手段又は別のデータファイル格納手段に格納する機能を有することを特徴とする。
【００２３】
また、請求項１７に記載の音声・画像出力装置に係る発明は、請求項１乃至１４に記載の付帯情報付き音声データファイルと、該付帯情報付き音声データファイルを処理するためのプログラムとを格納する記憶手段と、前記記憶手段に格納されたプログラムに基づき、前記記憶手段に格納された付帯情報付き音声データファイル及び後記通信手段から受信したデータファイルを処理してデジタル信号を生成し、該デジタル信号を、後記通信手段、後記音声出力手段、後記ディスプレイ手段に送信するデータ処理手段と、前記データ処理手段から受信したデジタル信号に基づき、インターネットに接続されたウェブサーバに対して、該ウェブサーバに格納されたデータファイルを送信するよう要求する送信要求を送信し、該ウェブサーバから該データファイルを受信する通信手段と、前記データ処理手段から受信したデジタル信号に基づき、音声を出力する音声出力手段と、前記データ処理手段から受信したデジタル信号に基づき、文字及び／又は画像を表示するスプレイ手段とを有する音声・画像出力装置であって、前記データ処理手段は、前記付帯情報付き音声データファイルが含む配列情報付きＵＲＬデータに基づき、該配列情報付きＵＲＬデータが含むＵＲＬi（i＝1〜n、n≧1）が指定するデータファイルiに対する送信要求を送信するためのデジタル命令信号を、該配列情報付きＵＲＬデータが含む配列情報に対応した順序で前記通信手段に送信する機能と、前記通信手段が受信したデータファイルに基づき、文字及び／又は画像を表示するためのデジタル表示信号を前記ディスプレイ手段に送信する機能と、前記付帯情報付き音声データファイルが含む配列情報付きデジタル音声データに基づき、該配列情報付きデジタル音声データを構成するデジタル音声要素データＳj（j＝1〜m、m≧1）に対応するデジタル音声信号を、該配列情報付きデジタル音声データが含む配列情報に対応した順序で生成して前記音声出力手段に送信する機能とを有することを特徴とする。
【００２４】
また、請求項１８に記載の音声・画像出力装置に係る発明は、請求項１７に記載の音声・画像出力装置において、請求項１２に記載の付帯情報付き音声データファイルを格納する機能を有した上で、該付帯情報付き音声データファイルが含む複数の配列情報付きＵＲＬデータのうちから１つを選択する選択手段Ａを備え、前記データ処理手段は、前記選択手段Ａで選択された配列情報付きＵＲＬデータに基づき、前記通信手段にデジタル命令信号を送信する機能を有することを特徴とする。
【００２５】
また、請求項１９に記載の音声・画像出力装置に係る発明は、請求項１７又は１８に記載の音声・画像出力装置において、前記記憶手段は、請求項１３又は１４に記載の付帯情報付き音声データファイルを格納する機能を有した上で、前記データ処理手段は、前記付帯情報付き音声データファイルが含む前記配列情報付きデジタル音声データを構成するデジタル音声要素データＳjに対応するデジタル音声信号を前記音声出力手段に送信する機能と、前記Ｓjに対応付けられた、１つ又は複数のタイミング−ＵＲＬデータのセットＴjhg−ＵＲＬjhg（h＝1〜p、p≧1。g＝1〜q、１≧2）に基づき、該Ｔjhg−ＵＲＬjhgが含むＵＲＬjhgが指定するデータファイルiに対する送信要求を送信するためのデジタル命令信号を、前記Ｓjに対応するデジタル音声信号を前記音声出力手段に送信した後、Ｔjhgだけ時間が経過したタイミングで、又はＴjhgに一定の時間を加算した時間が経過したタイミングで、前記通信手段に送信する機能を有することを特徴とする。
【００２６】
また、請求項２０に記載の音声・画像出力装置に係る発明は、請求項１９に記載の音声・画像出力装置において、前記記憶手段は、請求項１４に記載の付帯情報付き音声データファイルを格納する機能を有した上で、該付帯情報付き音声データファイルが含む複数のタイミング−ＵＲＬデータのセットのうちから１つを選択する選択手段Ｂを備え、前記データ処理手段は、前記選択手段Ｂで選択されたタイミング−ＵＲＬデータに基づき、前記通信手段にデジタル命令信号を送信する機能を有することを特徴とする。
【００２７】
また、請求項２１に記載の音声・画像出力装置に係る発明は、請求項１７乃至２０に記載の音声・画像出力装置において、前記データ処理手段が、配列情報付きＵＲＬデータ、又は、配列情報付きＵＲＬデータ及びタイミング−ＵＲＬデータが含むＵＲＬが指定するデータファイルに対する送信要求を送信するためのデジタル命令信号を前記通信手段に送信する機能をオンにするか、オフにするかを選択するオン・オフ選択手段を備えることを特徴する。
【００２８】
また、請求項２２に記載の音声・画像出力装置に係る発明は、請求項１７乃至２１の音声・画像出力装置における記憶手段に格納される音声・画像出力用プログラムであって、前記データ処理手段に、前記付帯情報付き音声データファイルが含む配列情報付きＵＲＬデータに基づき、該配列情報付きＵＲＬデータが含むＵＲＬi（i＝1〜n、n≧1）が指定するデータファイルiに対する送信要求を送信するためのデジタル命令信号を、該配列情報付きＵＲＬデータが含む配列情報に対応した順序で前記通信手段に送信する処理と、前記通信手段が受信したデータファイルに基づき、文字及び／又は画像を表示するためのデジタル表示信号を前記ディスプレイ手段に送信する処理と、前記付帯情報付き音声データファイルが含む配列情報付きデジタル音声データに基づき、該配列情報付きデジタル音声データを構成するデジタル音声要素データＳj（j＝1〜m、m≧1）に対応するデジタル音声信号を、該配列情報付きデジタル音声データが含む配列情報に対応した順序で生成して前記音声出力手段に送信する処理とを実行させることを特徴とする。
【００２９】
また、請求項２３に記載の音声・画像出力装置に係る発明は、請求項２２に記載の音声・画像出力用プログラムにおいて、請求項１９乃至２０の音声・画像出力装置における記憶手段に格納される音声・画像出力用プログラムであって、前記データ処理手段に、前記付帯情報付き音声データファイルが含む前記配列情報付きデジタル音声データを構成するデジタル音声要素データＳjに対応するデジタル音声信号を前記音声出力手段に送信する処理と、前記Ｓjに対応付けられた、１つ又は複数のタイミング−ＵＲＬデータのセットＴjhg−ＵＲＬjhg（h＝1〜p、p≧1。g＝1〜q、１≧2）に基づき、該Ｔjhg−ＵＲＬjhgが含むＵＲＬjhgが指定するデータファイルiに対する送信要求を送信するためのデジタル命令信号を、前記Ｓjに対応するデジタル音声信号を前記音声出力手段に送信した後、Ｔjhgだけ時間が経過したタイミングで、又はＴjhgに一定の時間を加算した時間が経過したタイミングで、前記通信手段に送信する処理とを実行させることを特徴とする。
【００３０】
また、請求項２４に記載の音声・画像出力装置に係る発明は、請求項１７又は２１に記載の音声・画像出力装置において、ＵＲＬ情報を含む文字データ信号が音声放送信号に重畳して送信される文字多重放送を受信し、デジタル信号に変換の上、前記データ処理手段に送信するチューナ手段を備えるととともに、前記データ処理手段は、前記チューナ手段から受信したデジタル信号を処理することにより、該デジタル信号が含む音声情報に基づき、デジタル音声信号を前記音声出力手段に送信する機能と、該デジタル信号が含むＵＲＬ情報に基づき、該ＵＲＬ情報に対応したＵＲＬが指定するデータファイルを受信するためのデジタル命令信号を前記通信手段に送信する機能とを有することを特徴とする。
【００３１】
また、請求項２５に記載の音声・画像出力装置に係る発明は、請求項２４に記載の音声・画像出力装置において、前記データ処理手段は、前記チューナ手段から受信したデジタル信号を処理することにより、請求項１乃至１４に記載の付帯情報付き音声データファイルを作成し、前記記憶手段に格納する機能を有する。
【００３２】
また、請求項２６に記載のデータファイル配信用サーバに係る発明は、インターネットに接続されたウェブサーバであって、請求項１乃至１４に記載の付帯情報付き音声ファイルを格納するとともに、インターネットに接続された端末からの送信要求に応じて、前記付帯情報付き音声ファイルを配信することを特徴とする。
【００３３】
また、請求項２７に記載のデータファイル配信用サーバに係る発明は、請求項２６に記載のデータファイル配信用サーバにおいて、インターネットに接続されたウェブサーバであって、請求項１乃至１４に記載の付帯情報付き音声ファイルが含む配列情報付きＵＲＬデータが含むＵＲＬiが指定するデータファイルi（i＝1〜n、n≧1）、又は、配列情報付きＵＲＬデータが含むＵＲＬi及びタイミング−ＵＲＬデータが含むＵＲＬjhgが指定するデータファイルjhg（h＝1〜p、p≧1。g＝1〜q、q≧1）のうちの少なくとも１つを格納し、請求項１７乃至２１に記載の音声・画像出力装置の前記通信手段から送信される送信要求に応じて、データファイルi又はデータファイルjhgのうちの少なくとも１つを前記通信手段に送信することを特徴とする。
【発明の効果】
【００３４】
本発明の付帯情報付き音声データファイルは、１つ又は複数のデジタル音声要素データからなるデジタル音声データと、通常はテキストデータであるＵＲＬデータに、必要に応じて、通常は数値データであるタイミングデータを付加したものに、必要な配列データを組み合わせたものであるから、ファイルサイズは音声データとほとんどかわらず、したがって、該デジタル音声データと同じ時間長さの動画ファイルと比較すれば著しくファイルサイズが小さい。
【００３５】
本発明の付帯情報付き音声データファイルを、本発明の音声・画像出力装置で処理することにより、音声出力手段において該付帯情報付き音声データファイルが含むデジタル音声要素データに対応した音声を出力（以下、「音声データに対応した音声の出力」のことを「音声データの再生」と略記する）するとともに、該付帯情報付き音声データファイルが含むＵＲＬデータが指定するインターネット上のデータファイルを通信手段を介して取得し、該ファイルに基づいて、ディスプレイ手段において文字及び／又は画像を表示することができ、しかも、その文字及び／又は画像の表示は、前記音声出力のタイミングに同調させることができる。その際、前記ＵＲＬデータを、デジタル音声要素データのうちの少なくとも１つと関連性を有するデータファイルを指定するように構成しておけば、出力された音声と関連性を有する文字及び／又は画像を表示することができる。
【００３６】
また、本発明の付帯情報付き音声データファイル作成装置を用いれば、本発明の付帯情報付き音声データファイルを容易に作成することができる。さらに、本発明のデータファイル配信用サーバを用いれば、本発明の付帯情報付き音声データファイルをインターネット経由で配信することができる。
【００３７】
特に、商品・サービスを説明するテキストデータと、該商品・サービスの購入を申し込むデータエントリーフォームを有するマークアップ言語ファイルを格納した、本発明のデータファイル配信用サーバを用意してインターネットに接続し、一方、前記商品・サービスに関するコマーシャルメッセージを再生可能に記録したデジタル音声データと、前記マークアップ言語ファイルとその存在場所を指定するＵＲＬを含むＵＲＬデータを構成要素とする本発明の付帯情報付き音声データファイルを本発明の音声・画像出力装置に配信しておけば、該付帯情報付き音声データファイルを該音声・画像出力装置が処理することにより、前記商品・サービスの購入を効果的に促進することができる。
【発明を実施するための最良の形態】
【００３８】
以下、図面を参照して本発明の実施形態について説明する。ただし、本発明はかかる実施形態に限定されず、その技術思想の範囲内で種々の変更が可能である。
【００３９】
（第１の実施形態）
図１は、本発明の第１の実施形態に係る付帯情報付き音声データファイルの構成を説明するとともに、本発明の音声・画像出力装置の機能を説明するための図である。また、図２は、本発明の音声・画像出力装置の機能及び構成を説明するための図であり、特に、該音声・画像出力装置が携帯電話機である場合について説明している。
【００４０】
この実施形態においては、付帯情報付き音声データファイルは、以下から構成される。
Ａ. 音声データ１→音声データ2→音声データ3→音声データ1→音声データ4という配列情報を伴う音声データ１〜４のデジタル音声要素データからなる配列情報付きデジタル音声データ
Ｂ. ＵＲＬ1→ＵＲＬ2→ＵＲＬ3→ＵＲＬ1→ＵＲＬ2という配列情報を伴うＵＲＬ1〜3のＵＲＬからなる配列情報付きＵＲＬデータ
Ｃ. 最初に配列された音声データ1に対応付けられた、Ｔ11−ＵＲＬ11及びＴ12−ＵＲＬ12のタイミング−ＵＲＬデータのセット
Ｄ. 音声データ2に対応付けられた、Ｔ21−ＵＲＬ21、Ｔ22−ＵＲＬ22、Ｔ23−ＵＲＬ23及びＴ24−ＵＲＬ21のタイミング−ＵＲＬデータのセット
Ｅ. ４番目に配列された音声データ1に対応付けられた、Ｔ41−ＵＲＬ11、Ｔ42−ＵＲＬ41及びＴ43−ＵＲＬ12のタイミング−ＵＲＬデータのセット
【００４１】
また、本発明の音声・画像出力装置である図２に示す携帯電話機1が、記憶手段14を構成するフラッシュメモリ14Aに格納された音声・画像出力用プログラムに従って、この実施形態における付帯情報付き音声データファイルを処理した場合、以下のようなステップで処理が行われる。
【００４２】
(1) データ処理手段である中央演算回路10が、インターネットに接続されたウェブサーバに対して、ＵＲＬ1が指定するデータファイル1を送信するよう要求する送信要求を送信するためのデジタル命令信号を、バス17を経由して、通信手段11を構成するベースバンドプロセッサ11Aに送信する。
(2) 前記デジタル命令信号が、ベースバンドプロセッサ11A及びＲＦ送受信部11Bを経由し、最終的には電波信号に変換されて通信アンテナ11Cから送信される。
(3) 前記データファイル1に対応した電波信号が通信アンテナ11Cで受信され、ＲＦ送受信部11B及びベースバンドプロセッサ11Aを経由し、最終的にはデジタル信号として中央演算回路10で受信され、処理される。
(4) 中央演算回路10が、上記デジタル信号に基づき、前記データファイル1に対応した文字及び／又は画像1のデジタル表示信号を生成し、ディスプレイ手段12を構成するグラフィックコントローラ12Aに送信する。
(5) グラフィックコントローラ12Aが、ＶＲＡＭ12Bとの間で必要なデータのやり取りをした上で、表示命令をＬＣＤ（Liquid Crystal Display）ドライバ12Cに送信し、最終的にＬＣＤパネル12Dに前記文字及び／又は画像1が表示される。
(6) 前記文字及び／又は画像1の表示が完了した時点で、中央演算回路10が音声データ1を処理し、デジタル音声信号を生成して、音声出力手段13を構成するＣＯＤＥＣ（COder-DECoder）13Aに送信する。
(7) ＣＯＤＥＣ13Aが、該デジタル音声信号をアナログ信号に変換してスピーカ13Bに送信し、スピーカ13Bから音声データ1が再生される。
【００４３】
(8) 上記(6)においてデジタル音声信号の送信が開始されてからＴ11だけ時間が経過した後、中央演算回路10が、ＵＲＬ11が指定するデータファイル11に対する送信要求を送信するためのデジタル命令信号をベースバンドプロセッサ11Aに送信し、それ以降、上記(2)〜(5)と同じ過程で、データファイル11に対応した文字及び／又は画像11がＬＣＤパネル12Dに表示される。
(9) 上記(6)においてデジタル音声信号の送信が開始されてからＴ12だけ時間が経過した時点で、中央演算回路10が、ＵＲＬ12が指定するデータファイル12に対する送信要求を送信するためのデジタル命令信号をベースバンドプロセッサ11Aに送信し、それ以降、上記(2)〜(5)と同じ過程で、データファイル12に対応した文字及び／又は画像12がＬＣＤパネル12Dに表示される。
【００４４】
(10) 音声データ1の再生が終了した時点で、中央演算回路10が、ＵＲＬ2が指定するデータファイル2に対する送信要求を送信するためのデジタル命令信号をベースバンドプロセッサ11Aに送信し、それ以降、上記(2)〜(5)と同じ過程で、データファイル2に対応した文字及び／又は画像2がＬＣＤパネル12Dに表示される。
(11) 前記文字及び／又は画像2の表示が完了した時点で、中央演算回路10が音声データ2を処理し、デジタル音声信号を生成してＣＯＤＥＣ13Aに送信し、それ以降、上記(7)と同じ過程で、音声データ2が再生される。
(12) 上記(11)においてデジタル音声信号の送信が開始されてからＴ21だけ時間が経過した後、中央演算回路10が、ＵＲＬ21が指定するデータファイル21に対する送信要求を送信するためのデジタル命令信号をベースバンドプロセッサ11Aに送信し、それ以降、上記(2)〜(5)と同じ過程で、データファイル21に対応した文字及び／又は画像21がＬＣＤパネル12Dに表示される。
(13) 上記(11)においてデジタル音声信号の送信が開始されてからＴ22だけ時間が経過した後、中央演算回路10が、ＵＲＬ22が指定するデータファイル22に対する送信要求を送信するためのデジタル命令信号をベースバンドプロセッサ11Aに送信し、それ以降、上記(2)〜(5)と同じ過程で、データファイル22に対応した文字及び／又は画像22がＬＣＤパネル12Dに表示される。
(14) 上記(11)においてデジタル音声信号の送信が開始されてからＴ23だけ時間が経過した後、中央演算回路10が、ＵＲＬ23が指定するデータファイル23に対する送信要求を送信するためのデジタル命令信号をベースバンドプロセッサ11Aに送信し、それ以降、上記(2)〜(5)と同じ過程で、データファイル23に対応した文字及び／又は画像23がＬＣＤパネル12Dに表示される。
(15) 上記(11)においてデジタル音声信号の送信が開始されてからＴ24だけ時間が経過した後、中央演算回路10が、ＵＲＬ21が指定するデータファイル21に対する送信要求を送信するためのデジタル命令信号をベースバンドプロセッサ11Aに送信し、それ以降、上記(2)〜(5)と同じ過程で、データファイル21に対応した文字及び／又は画像21がＬＣＤパネル12Dに表示される。
【００４５】
(16) 音声データ2の再生が終了した時点で、中央演算回路10が、ＵＲＬ3が指定するデータファイル3に対する送信要求を送信するためのデジタル命令信号をベースバンドプロセッサ11Aに送信し、それ以降、上記(2)〜(5)と同じ過程で、データファイル3に対応した文字及び／又は画像3がＬＣＤパネル12Dに表示される。
(17) 前記文字及び／又は画像3の表示が完了した時点で、中央演算回路10が音声データ3を処理し、デジタル音声信号を生成してＣＯＤＥＣ13Aに送信し、それ以降、上記(7)と同じ過程で、音声データ3が再生される。
【００４６】
(18) 音声データ3の再生が終了した時点で、中央演算回路10が、ＵＲＬ1が指定するデータファイル1に対する送信要求を送信するためのデジタル命令信号をベースバンドプロセッサ11Aに送信し、それ以降、上記(2)〜(5)と同じ過程で、データファイル1に対応した文字及び／又は画像1がＬＣＤパネル12Dに表示される。
(19) 前記文字及び／又は画像1の表示が完了した時点で、中央演算回路10が音声データ1を処理し、デジタル音声信号を生成してＣＯＤＥＣ13Aに送信し、それ以降、上記(7)と同じ過程で、音声データ1が再生される。
(20) 上記(19)においてデジタル音声信号の送信が開始されてからＴ41だけ時間が経過した後、中央演算回路10が、ＵＲＬ11が指定するデータファイル11に対する送信要求を送信するためのデジタル命令信号をベースバンドプロセッサ11Aに送信し、それ以降、上記(2)〜(5)と同じ過程で、データファイル11に対応した文字及び／又は画像11がＬＣＤパネル12Dに表示される。
(21) 上記(19)においてデジタル音声信号の送信が開始されてからＴ42だけ時間が経過した後、中央演算回路10は、ＵＲＬ41が指定するデータファイル41に対する送信要求を送信するためのデジタル命令信号をベースバンドプロセッサ11Aに送信し、それ以降、上記(2)〜(5)と同じ過程で、データファイル41に対応した文字及び／又は画像41がＬＣＤパネル12Dに表示される。
(21) 上記(19)においてデジタル音声信号の送信が開始されてからＴ43だけ時間が経過した後、中央演算回路10が、ＵＲＬ12が指定するデータファイル12に対する送信要求を送信するためのデジタル命令信号をベースバンドプロセッサ11Aに送信し、それ以降、上記(2)〜(5)と同じ過程で、データファイル12に対応した文字及び／又は画像12がＬＣＤパネル12Dに表示される。
【００４７】
(22) 音声データ1の再生が終了した時点で、中央演算回路10が、ＵＲＬ2が指定するデータファイル2に対する送信要求を送信するためのデジタル命令信号をベースバンドプロセッサ11Aに送信し、それ以降、上記(2)〜(5)と同じ過程で、データファイル2に対応した文字及び／又は画像2がＬＣＤパネル12Dに表示される。
(23) 前記文字及び／又は画像2の表示が完了した時点で、中央演算回路10が音声データ4を処理し、デジタル音声信号を生成してＣＯＤＥＣ13Aに送信し、それ以降、上記(7)と同じ過程で、音声データ4が再生される。
【００４８】
（第２の実施形態）
図３は、本発明の第２の実施形態に係る付帯情報付き音声データファイルの構成を説明するとともに、本発明の音声・画像出力装置の機能を説明するためのもう１つの図である。
【００４９】
この実施形態においては、付帯情報付き音声データファイルは、以下から構成される。
Ａ'. 音声データ１→音声データ2→音声データ3→音声データ1→音声データ4という配列情報を伴う音声データ１〜４のデジタル音声要素データからなる配列情報付きデジタル音声データ（第１の実施形態におけるＡと同じ）
Ｂ'. ＵＲＬ1'→ＵＲＬ2'→ＵＲＬ3'→ＵＲＬ1'→ＵＲＬ2'という配列情報を伴うＵＲＬ1'〜3'のＵＲＬからなる配列情報付きＵＲＬデータ
Ｃ'. 最初に配列された音声データ1に対応付けられた、Ｔ12−ＵＲＬ12'のタイミング−ＵＲＬデータのセット
Ｄ'. 音声データ2に対応付けられた、Ｔ21−ＵＲＬ21'及びＴ23−ＵＲＬ23'のタイミング−ＵＲＬデータのセット
Ｅ'. ４番目に配列された音声データ1に対応付けられた、Ｔ42−ＵＲＬ41'のタイミング−ＵＲＬデータのセット
【００５０】
また、本発明の音声・画像出力装置である図２に示す携帯電話機1が、記憶手段14を構成するフラッシュメモリ14Aに格納された音声・画像出力用プログラムに従って、この実施形態における付帯情報付き音声データファイルを処理した場合、以下のようなステップで処理が行われる。
【００５１】
(1')中央演算回路10が、ＵＲＬ1'が指定するデータファイル1'に対する送信要求を送信するためのデジタル命令信号をベースバンドプロセッサ11Aに送信し、それ以降、第１の実施形態における(2)〜(5)と同じ過程で、データファイル1'に対応した文字及び／又は画像1'がＬＣＤパネル12Dに表示される。
(2') 前記文字及び／又は画像1'の表示が完了した時点で、中央演算回路10が音声データ1を処理し、デジタル音声信号を生成してＣＯＤＥＣ13Aに送信し、それ以降、第１の実施形態における(7)と同じ過程で、音声データ1が再生される。
(3') 上記(2')においてデジタル音声信号の送信が開始されてからＴ12だけ時間が経過した後、中央演算回路10が、ＵＲＬ12'が指定するデータファイル12'に対する送信要求を送信するためのデジタル命令信号をベースバンドプロセッサ11Aに送信し、それ以降、第１の実施形態における(2)〜(5)と同じ過程で、データファイル12'に対応した文字及び／又は画像12'がＬＣＤパネル12Dに表示される。
【００５２】
(4') 音声データ1の再生が終了した時点で、中央演算回路10が、ＵＲＬ2'が指定するデータファイル2'に対する送信要求を送信するためのデジタル命令信号をベースバンドプロセッサ11Aに送信し、それ以降、第１の実施形態における(2)〜(5)と同じ過程で、データファイル2'に対応した文字及び／又は画像2'がＬＣＤパネル12Dに表示される。
(5') 前記文字及び／又は画像2'の表示が完了した時点で、中央演算回路10が音声データ2を処理し、デジタル音声信号を生成してＣＯＤＥＣ13Aに送信し、それ以降、第１の実施形態における(7)と同じ過程で、音声データ2が再生される。
(6') 上記(5')においてデジタル音声信号の送信が開始されてからＴ21だけ時間が経過した後、中央演算回路10が、ＵＲＬ21'が指定するデータファイル21'に対する送信要求を送信するためのデジタル命令信号をベースバンドプロセッサ11Aに送信し、それ以降、第１の実施形態における(2)〜(5)と同じ過程で、データファイル21'に対応した文字及び／又は画像21'がＬＣＤパネル12Dに表示される。
(7') 上記(5')においてデジタル音声信号の送信が開始されてからＴ23だけ時間が経過した後、中央演算回路10は、ＵＲＬ23'が指定するデータファイル23'に対する送信要求を送信するためのデジタル命令信号をベースバンドプロセッサ11Aに送信し、それ以降、第１の実施形態における(2)〜(5)と同じ過程で、データファイル23'に対応した文字及び／又は画像23'がＬＣＤパネル12Dに表示される。
【００５３】
(8') 音声データ2の再生が終了した時点で、中央演算回路10が、ＵＲＬ3'が指定するデータファイル3'に対する送信要求を送信するためのデジタル命令信号をベースバンドプロセッサ11Aに送信し、それ以降、第１の実施形態における(2)〜(5)と同じ過程で、データファイル3'に対応した文字及び／又は画像3'がＬＣＤパネル12Dに表示される。
(9') 前記文字及び／又は画像3'の表示が完了した時点で、中央演算回路10が音声データ3を処理し、デジタル音声信号を生成してＣＯＤＥＣ13Aに送信し、それ以降、第１の実施形態における(7)と同じ過程で、音声データ3が再生される。
【００５４】
(10') 音声データ3の再生が終了した時点で、中央演算回路10が、ＵＲＬ1'が指定するデータファイル1'に対する送信要求を送信するためのデジタル命令信号をベースバンドプロセッサ11Aに送信し、それ以降、上記(2)〜(5)と同じ過程で、データファイル1'に対応した文字及び／又は画像1'がＬＣＤパネル12Dに表示される。
(11') 前記文字及び／又は画像1'の表示が完了した時点で、中央演算回路10が音声データ1を処理し、デジタル音声信号を生成してＣＯＤＥＣ13Aに送信し、それ以降、第１の実施形態における(7)と同じ過程で、音声データ1が再生される。
(12') 上記(11')においてデジタル音声信号の送信が開始されてからＴ42だけ時間が経過した後、中央演算回路10が、ＵＲＬ41'が指定するデータファイル41'に対する送信要求を送信するためのデジタル命令信号をベースバンドプロセッサ11Aに送信し、それ以降、上記(2)〜(5)と同じ過程で、データファイル41'に対応した文字及び／又は画像41'がＬＣＤパネル12Dに表示される。
【００５５】
(13') 音声データ1の再生が終了した時点で、中央演算回路10が、ＵＲＬ2'が指定するデータファイル2'に対する送信要求を送信するためのデジタル命令信号をベースバンドプロセッサ11Aに送信し、それ以降、上記(2)〜(5)と同じ過程で、データファイル2'に対応した文字及び／又は画像2'がＬＣＤパネル12Dに表示される。
(14') 前記文字及び／又は画像2'の表示が完了した時点で、中央演算回路10が音声データ4を処理し、デジタル音声信号を生成してＣＯＤＥＣ13Aに送信し、それ以降、上記(7)と同じ過程で、音声データ4が再生される。
【００５６】
上記の説明からわかる通り、本実施形態の付帯情報付き音声データファイルと、第１の実施形態における付帯情報付き音声データファイルでは、再生される音声データ及びその再生順序は同じであるが、図２に示す携帯電話機1が、本実施形態の付帯情報付き音声データファイルを処理する場合には、第１の実施形態の場合より、インターネットに接続されたウェブサーバからデータファイルをダウンロードする回数が少ない。このため、携帯電話機1のパケット通信費用を抑制する必要性があるような場合には、第１の実施形態における付帯情報付き音声データファイルより、本実施形態の付帯情報付き音声データファイルの方が好ましい。
なお、特に、音声データを再生して音声だけを楽しみたい場合に、データファイルのダウンロードを全く行わないようにするために、携帯電話機1における中央演算回路10が、配列情報付きＵＲＬデータ、又は、配列情報付きＵＲＬデータ及びタイミング−ＵＲＬデータが含むＵＲＬが指定するデータファイルに対する送信要求を送信するためのデジタル命令信号を前記通信手段に送信する機能をオンにするか、オフにするかを選択するオン・オフ選択機能を備えた上で、キー操作部15Aを操作することにより、キー入力コントローラ15B経由でデータを入力することにより、オン・オフが選択できるようにすることができる。
【００５７】
また、携帯電話機1におけるＬＣＤパネル12Dの解像度が低いような場合には、本実施形態のＵＲＬ1'、ＵＲＬ2'、ＵＲＬ3'、ＵＲＬ12'、ＵＲＬ21'、ＵＲＬ23'及びＵＲＬ41'として、例えば、ＣＨＴＭＬ（Compact ＨＴＭＬ）、ＨＤＭＬ（Handheld Device Markup Language）又はＷＭＬ（Wireless Markup Language）等の携帯電話機向けに特化したマークアップ言語で記述されたデータファイルとその存在場所を指定するＵＲＬを選択しておけば、ＬＣＤパネル12Dに文字及び／又は画像が適切に表示されない、という問題が回避できる。
逆に、音声・画像出力装置として十分に大きな解像度を有するＬＣＤパネル12Dを備えた携帯電話機1を使用する場合、あるいは、携帯電話機1の替わりに、インターネットに接続されるパーソナルコンピュータを使用する場合には、配列情報付きＵＲＬデータ、及びタイミング−ＵＲＬデータが含むＵＲＬとして、解像度の大きい画像ファイルにリンクしたＨＴＭＬファイルとその存在場所を指定するＵＲＬを選択しても問題ない。
【００５８】
（第３の実施形態）
図４は、本発明の付帯情報付き音声データファイル作成装置の機能を説明するための図であり、該付帯情報付き音声データファイル作成装置のデータファイル格納手段が格納し、該付帯情報付き音声データファイル作成装置のデータファイル作成手段が処理するテキスト・数値データファイルを説明するイメージ図である。
【００５９】
図４に示すテキスト・数値データファイルには、以下のデータが含まれている。
Ｉ. 音声データ１→音声データ2→音声データ3→音声データ1→音声データ4という配列情報を伴って音声データ１〜４のデジタル音声要素データのファイル名を記述したテキストデータ
II. ＵＲＬ1→ＵＲＬ2→ＵＲＬ3→ＵＲＬ1→ＵＲＬ2という配列情報を伴ってＵＲＬ1〜3を記述したテキストデータ
II'. ＵＲＬ1'→ＵＲＬ2'→ＵＲＬ3'→ＵＲＬ1'→ＵＲＬ2'という配列情報を伴ってＵＲＬ1'〜3'を記述したテキストデータ
III. 最初に配列された音声データ1に対応付けられた、Ｔ11−ＵＲＬ11及びＴ12−ＵＲＬ12のタイミング−ＵＲＬデータのセット、及びＴ12−ＵＲＬ12'のタイミング−ＵＲＬデータのセットにおける、時間とＵＲＬを記述した数値・テキストデータ
IV. 音声データ2に対応付けられた、Ｔ21−ＵＲＬ21、Ｔ22−ＵＲＬ22、Ｔ23−ＵＲＬ23及びＴ24−ＵＲＬ21のタイミング−ＵＲＬデータのセット、及びＴ21−ＵＲＬ21'及びＴ23−ＵＲＬ23'のタイミング−ＵＲＬデータのセットにおける、時間とＵＲＬを記述した数値・テキストデータ
Ｖ. ４番目に配列された音声データ1に対応付けられた、Ｔ41−ＵＲＬ11、Ｔ42−ＵＲＬ41及びＴ43−ＵＲＬ12のタイミング−ＵＲＬデータのセット、及びＴ42−ＵＲＬ41'のタイミング−ＵＲＬデータのセットにおける、時間とＵＲＬを記述した数値・テキストデータ
【００６０】
この実施形態においては、付帯情報付き音声データファイル作成装置は、データファイル格納手段に音声データ１〜３の音声要素データファイルと、図４に示す数値・テキストデータファイルとを格納し、データファイル作成手段が、これらの音声要素データファイルとテキスト・数値データファイルとを読み出して処理することにより、第１の実施形態の付帯情報付き音声データファイルと、第２の実施形態の付帯情報付き音声データファイルの双方を作成して、前記データファイル格納手段に格納する。
【００６１】
あるいは、本発明の音声データファイル作成装置における前記データファイル作成手段は、音声要素データファイルとテキスト・数値データファイルとを読み出して処理することにより、共通の配列情報付きデジタル音声データ（音声データ１→音声データ2→音声データ3→音声データ1→音声データ4）に対して、複数の配列情報つきＵＲＬデータ（ＵＲＬ1→ＵＲＬ2→ＵＲＬ3→ＵＲＬ1→ＵＲＬ2、及び、ＵＲＬ1'→ＵＲＬ2'→ＵＲＬ3'→ＵＲＬ1'→ＵＲＬ2'）と、複数のタイミング−ＵＲＬデータのセット（Ｔjh−ＵＲＬjh、及び、Ｔjh−ＵＲＬjh'）を含む１つの付帯情報付き音声データファイルを作成して、前記データファイル格納手段に格納することもできる。
このようにして作成された付帯情報付き音声データファイルを、本発明の音声・画像出力装置である図２に示す携帯電話機1が処理した場合、ディスプレイ手段に、複数の配列情報つきＵＲＬデータのうちのいずれを選択し、複数のタイミング−ＵＲＬデータのセットのうちのいずれを選択するかを確認するメッセージが表示され、キー操作部15Aを操作することによっていずれかを選択することにより、第１の実施形態で説明したように音声の出力、文字及び／又は画像の表示が行われるか、第２の実施形態で説明したように音声の出力、文字及び／又は画像の表示が行われるか、が選択できる。
【００６２】
なお、音声要素データファイルは、データファイル格納手段に、非圧縮のＰＣＭ（Pulse Code Modulation）方式で格納したり、ＭＰ３（ＭＰＥＧ Audio Layer ３）、ＡＩＦＦ（Audio Interchange File Format）、ＡＴＲＡＣ３（Adaptive TRansform Acoustic Coding ３）等の圧縮方式のファイル形式で格納したりすることができる。
その際、図４に示すテキスト・数値データファイルにおける音声データファイル名の記述にそれぞれのファイル形式に対応した拡張子を付すことにより、音声データファイル作成装置におけるデータファイル作成手段が、それぞれのファイル形式に適した処理を実行することを援けることができる。
【００６３】
（第４の実施形態）
図５は、本発明の音声・画像出力装置の機能及び構成を説明するためのもう一つの図であり、特に、該音声・画像出力装置が携帯電話機である場合について説明している。
【００６４】
この実施形態においては、本発明の音声・画像出力装置である携帯電話機1は、図２に示す携帯電話機1における諸手段、諸構成要素に加えて、放送用アンテナ18A、チューナ18B、ＡＤコンバータ18C、文字データ生成部18D及び音声データ生成部18Eからなるチューナ手段を備えている。
この実施形態においては、音声情報を伝達する音声放送信号と該音声情報と対応関係を有するデータファイルのＵＲＬの文字データが重畳して送信されるＦＭ文字多重放送の電波信号が、放送用アンテナ18Aにおいて受信され、該電波信号はチューナ18Bにおいてアナログの電気信号に変換されてＡＤコンバータ18Cに転送される。該電気信号はＡＤコンバータ18Cにおいて、文字データと音声データの二種類のデジタル信号に転換され、それぞれ文字データ生成部18Dと音声データ生成部18Eに転送される。そして、文字データ生成部18Dでは、前記データファイルのＵＲＬのテキストデータが生成され、音声データ生成部18Eでは、前記音声情報に対応した音声データが生成される。
【００６５】
これらのデータのうち、まず音声データは、バス17を経由して中央演算回路10に転送され、該中央演算回路10において必要な処理が行われた後のデータはＣＯＤＥＣ13Aに転送されて再びアナログの電気信号に変換され、スピーカ13B から音声として出力される。
一方、ＵＲＬのテキストデータは、同じくバス17を経由して中央演算回路10に転送される。中央演算回路10においては、フラッシュメモリ14Aにインストールされ、ＲＡＭ（Random Access Memory）14Bに一時的に記憶されているブラウジングプログラムが動作しており、前記ＵＲＬのテキストデータが中央演算回路10に転送されると、中央演算回路10が、該ＵＲＬが指定するデータファイルに対する送信要求を送信するためのデジタル命令信号をベースバンドプロセッサ11Aに送信し、それ以降、第１の実施形態における(2)〜(5)と同じ過程で、データファイルに対応した文字及び／又は画像11がＬＣＤパネル12Dに表示される。
【００６６】
一方、携帯電話機1は、上記のようにリアルタイムで音声を出力し、文字及び／又は画像を表示するだけでなく、文字データ生成部18D及び音声データ生成部18Eで生成されたデータを順々に配列して結合することにより、配列情報付きデジタル音声データと配列情報を含む、本発明の付帯情報付き音声データファイルを作成し、フラッシュメモリ14Aに格納することができる。
そして、キー操作部15Aを操作することにより、該付帯情報付き音声データを中央演算回路10で処理し、第１の実施形態及び第２の実施形態で説明したような手順で音声の出力と、文字及び／又は画像の表示を行うことができ、結果として、ＦＭ多重放送を受信していた際に準じる形で、音声と、文字及び／画像を楽しむことができる。
【００６７】
（第５の実施形態）
図６は、本発明の音声・画像出力装置及びデータファイル配信用サーバの機能を説明するための図である。
【００６８】
ウェブサーバＡ_21Aは、本発明の付帯情報付き音声データファイルを格納しており、インターネット2に接続している。本発明の音声・画像出力装置である携帯電話機1は、通常のブラウザ機能を備えており、該ブラウザ機能を使用することによって、ウェブサーバＡ_21Aに格納された付帯情報付き音声データファイルに対する送信要求を電波信号として送信し、一方、ウェブサーバＡ_21Aは、該送信要求に応えて、該付帯情報付き音声データファイルを携帯電話機1に送信する。
一方、ウェブサーバＢ_21Bは、該付帯情報付き音声データファイルを構成する配列情報付きＵＲＬデータ又はタイミング−ＵＲＬデータのセットが含むＵＲＬが指定するデータファイルを格納しており、インターネット2に接続している。携帯電話機1は、記憶手段に格納した本発明の音声・画像出力用プログラムに従って前記付帯情報付き音声データファイルを処理することにより、該ＵＲＬが指定するデータファイルに対する送信要求を電波信号として送信し、一方、ウェブサーバＢ_21Bは、該送信要求に応えて、該ＵＲＬが指定するデータファイルを携帯電話機1に送信する。
携帯電話機1は、第１の実施形態における(3)〜(5)と同じ過程で、該ＵＲＬが指定するデータファイルに対応した文字及び／又は画像をＬＣＤパネル12Dに表示する。
【００６９】
（第６の実施形態）
図７は、本発明の第６の実施形態に係る付帯情報付き音声データファイルを、本発明の音声・画像出力装置が処理した場合に、該音声・画像出力装置のディスプレイ手段で表示される文字及び／又は画像を説明するイメージ図である。
【００７０】
この実施形態においては、付帯情報付き音声データファイルを構成するデジタル音声要素データのうちの少なくとも１つのＳjは、楽曲を再生可能に記録したデータであり、前記配列情報付きＵＲＬデータが含む少なくとも１つのＵＲＬiが指定するデータファイルiは、ブラウザ手段が処理することにより、前記楽曲の書誌的情報及び／又は歌詞及び／又は楽譜を表示することができるデータファイルである。
この際、該付帯情報付き音声データファイルを本発明の音声・画像出力装置が処理した場合、ディスプレイ手段には、楽曲名や作詞・作曲者名に加えて、歌詞や作詞・作曲者の写真、さらには楽曲のイメージ画像も記載することができる。また、楽曲の電子データをダウンロードするための画面に遷移するためのボタン（図中の「楽曲のダウンロード」ボタン）や、番組スポンサーのＨＰ（Home Page）へ遷移するリンクボタン（図中の「スポンサーＨＰへのリンク」ボタン）を設けることができる。
【００７１】
以下、本発明の付帯情報付き音声データファイルの実施形態について、図によらずに説明する。
【００７２】
（第７の実施形態）この実施形態においては、付帯情報付き音声データファイルを構成するデジタル音声要素データのうちの少なくとも１つのＳjは、論文、小説、脚本、詩歌、俳句、講演、語学教材等の言語著作物の口述を再生可能に記録したデータであり、前記配列情報付きＵＲＬデータが含む少なくとも１つのＵＲＬiが指定するデータファイルiは、ブラウザ手段が処理することにより、前記言語著作物の文字表現を表示することができるデータファイルである。
この実施形態の付帯情報付き音声データファイルを用いれば、特に、通常のポッドキャスティングにおいては別途テキストを購入する必要があった教育番組においても、ディスプレイ手段に表示される文字及び／又は画像に記載された視覚的情報の助けをかりることにより、テキストなしでの受講が可能になる。
【００７３】
（第８の実施形態）この実施形態においては、付帯情報付き音声データファイルを構成するデジタル音声要素データのうちの少なくとも１つのＳjは、絵画、版画、彫刻等の美術著作物や、建造物、風景に関する音声説明を再生可能に記録したデータであり、前記配列情報付きＵＲＬデータが含む少なくとも１つのＵＲＬiが指定するデータファイルiは、ブラウザ手段が処理することにより、前記美術著作物や、建造物、風景を表示することができるデータファイルである。
この実施形態の付帯情報付き音声データファイルを用いれば、通常のポッドキャスティングにおいては不向きと考えられる、美術関係の教養番組も配信することができるようになる。
【００７４】
（第９の実施形態）この実施形態においては、付帯情報付き音声データファイルを構成するデジタル音声要素データのうちの少なくとも１つのＳjは、漫画、紙芝居、絵本等の言語表現を伴う美術著作物における該言語表現の口述を再生可能に記録したデータであり、前記配列情報付きＵＲＬデータが含む少なくとも１つのＵＲＬiが指定するデータファイルiは、ブラウザ手段が処理することにより、前記美術著作物の画像又は前記美術著作物から言語表現部分を除いたものの画像を表示することができるデータファイルである。
この実施形態の付帯情報付き音声データファイルを用いれば、過去に数多くのコンテンツが蓄積されている漫画を全く新しい形態で再利用できることになる。また、紙芝居や絵本等を用いることにより、幼児や学童向けの教育番組を配信することができる。
【００７５】
（第１０の実施形態）この実施形態においては、付帯情報付き音声データファイルを構成するデジタル音声要素データのうちの少なくとも１つのＳjは、建造物、風景、風物等の現存する地域から移動不可能な対象物に関する音声説明を再生可能に記録したデータであり、前記配列情報付きＵＲＬデータが含む少なくとも１つのＵＲＬiが指定するデータファイルiは、ブラウザ手段が処理することにより、前記移動不可能な対象物が現存する地域の地図や当該地域に接続する道路や鉄道の路線図を表示することができるデータファイルである。
この実施形態の付帯情報付き音声データファイルを用いれば、通常のポッドキャスティングにおいては不向きと考えられる、旅行案内番組も配信することができるようになる。
【００７６】
（第１１の実施形態）この実施形態においては、付帯情報付き音声データファイルを構成するデジタル音声要素データのうちの少なくとも１つのＳjは、料理自体又は料理の調理方法に関する音声説明を再生可能に記録したデータであり、前記配列情報付きＵＲＬデータが含む少なくとも１つのＵＲＬiが指定するデータファイルiは、ブラウザ手段が処理することにより、前記料理の実施例の写真やイラスト及び／又はレシピを表示することができるデータファイルである。
この実施形態の付帯情報付き音声データファイルを用いれば、通常のポッドキャスティングにおいては不向きと考えられる、料理番組も配信することができるようになる。
【００７７】
（第１２の実施形態）この実施形態においては、付帯情報付き音声データファイルを構成するデジタル音声要素データのうちの少なくとも１つのＳjは、ディスクジョッキーやアナウンサー等の出演者の会話又はモノローグを再生可能に記録したデータであり、前記配列情報付きＵＲＬデータが含む少なくとも１つのＵＲＬiが指定するデータファイルiは、ブラウザ手段が処理することにより、前記出演者の写真又はイラストを表示することができるデータファイルである。
従来、ディスクジョッキーやアナウンサー等の出演者の写真やイラストを音声と同調させて表示することは、大容量の動画ファイルを配信するビデオキャスティングでなければ不可能と考えられていたが、この実施形態の付帯情報付き音声データファイルを使用すれば、音声データファイルと同程度のファイルサイズのデータファイルを配信することによって実現できるようになる。
【００７８】
（第１３の実施形態）この実施形態においては、付帯情報付き音声データファイルを構成するデジタル音声要素データのうちの少なくとも１つのＳjは、囲碁 、将棋 、チェス、オセロ、ハーツ等の盤上対局の実況説明及び／又は実況解説を再生可能に記録したデータであり、前記配列情報付きＵＲＬデータが含む少なくとも１つのＵＲＬiが指定するデータファイルiは、ブラウザ手段が処理することにより、該盤上対局における盤上の石や駒等の配置状況を表示することができるデータファイルである。
【００７９】
（第１４の実施形態）この実施形態においては、付帯情報付き音声データファイルを構成するデジタル音声要素データのうちの少なくとも１つのＳjは、コマーシャルメッセージを再生可能に記録したデータであり、前記配列情報付きＵＲＬデータが含む少なくとも１つのＵＲＬiが指定するデータファイルiは、ブラウザ手段が処理することにより、前記コマーシャルメッセージに関連する文字及び／又は画像を表示することができるデータファイルである。
特に、該文字及び／又は画像の表示において、データエントリー機能を付加することによって、従来のラジオ放送のように、受信者に対してＵＲＬを音声情報として伝達し、該ＵＲＬを入力してウェブページを閲覧してデータエントリーを呼びかけていた手法と比較して、はるかに効果的に当該商品の購買を促進することができる。
【産業上の利用可能性】
【００８０】
本発明は、インターネット等を利用してデジタルコンテンツを供給するデジタルコンテンツ産業において利用することができる。また、デジタルコンテンツを再生して音声と画像を出力する音声・画像出力装置を製造する産業や、デジタルコンテンツのデータファイルを作成するデータファイル作成装置を製造する産業においても利用することができる。
【図面の簡単な説明】
【００８１】
【図１】本発明の第１の実施形態に係る付帯情報付き音声データファイルの構成を説明するとともに、本発明の音声・画像出力装置の機能を説明するための図である。
【図２】本発明の音声・画像出力装置の機能及び構成を説明するための図である。
【図３】本発明の第２の実施形態に係る付帯情報付き音声データファイルの構成を説明するとともに、本発明の音声・画像出力装置の機能を説明するための図である。
【図４】本発明の付帯情報付き音声データファイル作成装置の機能を説明するための図であり、該付帯情報付き音声データファイル作成装置のデータファイル格納手段が格納し、該付帯情報付き音声データファイル作成装置のデータファイル作成手段が処理するテキスト・数値データファイルを説明するイメージ図である。
【図５】本発明の音声・画像出力装置の機能及び構成を説明するための図である。
【図６】本発明の音声・画像出力装置及びデータファイル配信用サーバの機能を説明するための図である。
【図７】本発明の第６の実施形態に係る付帯情報付き音声データファイルを、本発明の音声・画像出力装置が処理した場合に、該音声・画像出力装置のディスプレイ手段で表示される文字及び／又は画像を説明するイメージ図である。
【符号の説明】
【００８２】
1‥‥‥携帯電話機
10‥‥‥中央演算回路
11‥‥‥通信手段
11A‥‥‥ベースバンドプロセッサ
11B‥‥‥ＲＦ送受信部
11C‥‥‥通信用アンテナ
12‥‥‥ディスプレイ手段
12A‥‥‥グラフィックコントローラ
12B‥‥‥ＶＲＡＭ
12C‥‥‥ＬＣＤドライバ
12D‥‥‥ＬＣＤパネル
13‥‥‥音声出力手段
13A‥‥‥ＣＯＤＥＣ
13B‥‥‥スピーカ
14‥‥‥記憶手段
14A‥‥‥フラッシュメモリ
14B‥‥‥ＲＡＭ
15A‥‥‥キー操作部
15B‥‥‥キー入力コントローラ
16‥‥‥マイクロホン
17‥‥‥バス
18‥‥‥チューナ手段
18A‥‥‥放送用アンテナ
18B‥‥‥チューナ
18C‥‥‥ＡＤコンバータ
18D‥‥‥文字データ生成部
18E‥‥‥音声データ生成部
2‥‥‥インターネット
21A‥‥‥ウェブサーバＡ
21B‥‥‥ウェブサーバＢ
【図１】
2006344208.tif 000003
【図２】
2006344208.tif 000004
【図３】
2006344208.tif 000005
【図４】
2006344208.tif 000006
【図５】
2006344208.tif 000007
【図６】
2006344208.tif 000008
【図７】
2006344208.tif 000009